(57)【要約】  本発明は、非常用防毒キットに関するもので、携帯が容易であるので、火災などの非常事態が発生したときに迅速な使用が可能となって人命被害の発生を最小化することができる効果を示すためのものである。これを実現するための本発明は、本体部（１０）の一方の側にはユーザーの呼吸器の部位が密着されうる呼吸器密着部（１１）が形成され；前記本体部（１０）内には活性炭層（２０）、不織布層（３０）、及び水が収容されるウォーターチューブ（４０）がそれぞれ備えられ；前記本体部（１０）内には、外部の加圧作用によってウォーターチューブ（４０）内の水が漏れ出して不織布層（３０）に吸収されるようにする切開部材（５０）が構成され；前記本体部（１０）の上面と下面には空気の流通のための空気流通孔（１０ａ）が形成されたことを特徴とする。
2021520287.tif 000002
【特許請求の範囲】
【請求項１】
本体部（１０）の一方の側には、ユーザーの呼吸器の部位が密着されうる呼吸器密着部（１１）が形成され；
前記本体部（１０）内には、活性炭層（２０）、不織布層（３０）、及び水が収容されるウォーターチューブ（４０）がそれぞれ備えられ；
前記本体部（１０）内には、外部の加圧作用によってウォーターチューブ（４０）内の水が漏れ出して不織布層（３０）に吸収されるようにするピンまたは刃の形状の切開部材（５０）が構成され；
前記本体部（１０）の上面と下面には、空気の流通のための空気流通孔（１０ａ）が形成されたことを特徴とする、非常用防毒キット。
【請求項２】
本体部（１０）の一方の側には、ユーザーの呼吸器の部位が密着されうる呼吸器密着部（１１）が形成され；
前記本体部（１０）内には、活性炭層（２０）、不織布層（３０）、及び水が収容されるウォーターチューブ（４０）がそれぞれ備えられ；
前記本体部（１０）の一方の側には、ウォーターチューブ（４０）に付着されたステッカー（４１）における一方の側のグリップ部が露出されることにより、グリップ部を引っ張ってステッカー（４１）をウォーターチューブ（４０）から分離させたときにウォーターチューブ（４０）内の水が漏れ出して不織布層（３０）に吸収されうるようになっており；
前記本体部（１０）の上面と下面には、空気の流通のための空気流通孔（１０ａ）が形成されたことを特徴とする、非常用防毒キット。
【請求項３】
前記本体部（１０）には、呼吸器密着部（１１）の外部露出による異物吸着及び汚染の防止のためのカバー体（６０）が着脱可能に備えられたことを特徴とする、請求項１または２に記載の非常用防毒キット。
【請求項４】
前記不織布層（３０）は、有毒ガス粒子の１次捕集のための一重以上からなる第１不織布層（３１）、及び、前記第１不織布層（３１）よりも微細に製布された第２不織布層（３２）によって構成されることを特徴とする、請求項１または２に記載の非常用防毒キット。
【請求項５】
前記本体部（１０）の中央には中央通孔（１２）が貫通して形成され、前記中央通孔（１２）には、強化ガラスの破壊のために先端部に尖部（７１）が形成された衝撃具（７０）が挿入されて構成されており、前記衝撃具（７０）は一定の曲率の形状をなす板バネ（８０）によって支持され、前記衝撃具（７０）の後端部には、打撃力の伝達のための可動部（７２）が一体に備えられたことを特徴とする、請求項１または２に記載の非常用防毒キット。
【請求項６】
前記中央通孔（１２）の先端部には、衝撃具（７０）の尖部（７１）による負傷の発生を防止するための保護板（９０）が備えられ、前記保護板（９０）を取り除くことができるように保護板（９０）の一方の側には安全ピン（９１）が備えられ、本体部（１０）の一方の側にはガラス面への接着のための接着層（９２）が構成されたことを特徴とする、請求項５に記載の非常用防毒キット。
【発明の詳細な説明】
【技術分野】
【０００１】
本発明は、非常用防毒キットに関するものであり、より詳細には、火災などの非常事態が発生した際に、有毒ガスによる被害を最小限に抑えながら脱出を可能にするための非常用防毒キットに関する。
【背景技術】
【０００２】
一般に、地下鉄の駅舎や公共の建物、大型ショッピングモールなどといった多くの人々が集まる場所では、火災及び有毒ガスに対する備えが徹底的に要求される。
【０００３】
つまり、緊急状況の際に避難するための通路の確保、火災を鎮火しうる消防設備、停電に備えるための非常誘導灯などが確保されねばならず、特に、有毒ガスによる窒息事故を防止するために非常用ガスマスクを備えておかねばならない。
【０００４】
しかし、地下鉄の駅舎などの公共施設を除いては、大部分、ガスマスクが備えられていないのが実情であり、また、備えられているとしても、突然の火災による有毒ガスの発生時に速やかにガスマスクを探すのが困難になる。
【０００５】
また、従来のガスマスクは、１秒を争う緊急状況で迅速な着用が難しいという問題点があった。
【０００６】
したがって、使用が容易であるとともに、火災現場を迅速に脱け出して人命を救うことに実質的に役立つガスマスクが求められるというのが実情である。
【発明の概要】
【発明が解決しようとする課題】
【０００７】
本発明は、上述した従来技術の問題点を改善するためになされたもので、その目的は、携帯及び使用が容易であり、有毒ガスから呼吸器を実質的に保護することができる湿式構造をなす防毒キットを提供することにより、火災地域からの安全な脱出が可能となるようにすることにある。
【課題を解決するための手段】
【０００８】
上記目的を達成するための本発明の防毒キットは、本体部の一方の側に、ユーザーの呼吸器の部位が密着されうる呼吸器密着部が形成され；前記本体部内には、活性炭層、不織布層、及び、水が収容されるウォーターチューブ（ｗａｔｅｒ  ｔｕｂｅ）がいずれも備えられ；前記本体部内には、外部の加圧作用によってウォーターチューブ内の水が漏れて不織布層に吸収されるようにするピンまたは刃の形状の切開部材が構成され；前記本体部の上面と下面には、空気の流通のための空気流通孔が形成されたことを特徴とする。
【発明の効果】
【０００９】
このような本発明の防毒キットは、携帯が容易であるので、火災などの非常事態が発生したときに迅速な使用が可能となるのであり、ウォーターチューブによる湿式防毒作用が行われるようになって有毒ガスの呼吸器流入を効果的に遮断することにより、人命被害の発生を最小化することができるという効果を示す。
【図面の簡単な説明】
【００１０】
【図１】本発明の第１実施形態に係る防毒キットの外観斜視図である。
【図２】本発明における防毒キットの側面構造図である。
【図３】本発明における防毒キットの断面構造図である。
【図４】図３のＡ部の拡大図である。
【図５】本発明の防毒キットの使用状態図である。
【図６】本発明の第２実施形態に係る防毒キットの断面構造図である。
【図７】図６のＢ部の拡大図である。
【図８】本発明の第２実施形態における防毒キットの動作状態図である。
【図９】本発明の第３実施形態に係る防毒キットの断面構造図である。
【図１０】本発明の第３実施形態における防毒キットの動作状態図である。
【発明を実施するための形態】
【００１１】
以下、本発明の具体的な実施形態を、添付図面を参照して詳細に説明する。
【００１２】
まず、本発明の第１実施形態に係る非常用防毒キットの構成を図１〜図４に基づいて考察する。
【００１３】
本実施形態における防毒キットは、合成樹脂材質からなる本体部１０の一方の側に、ユーザーの呼吸器の部位が密着されうる呼吸器密着部１１が形成され、本体部１０内には、活性炭層２０、不織布層３０、及び水が収容されるウォーターチューブ４０が、それぞれ、順次に備えられており、前記ウォーターチューブ４０の収容部には、外部の加圧作用によってウォーターチューブ４０内の水が漏れ出して不織布層３０に吸収されうるように、ピンまたは刃の形状の切開部材５０が備えられる。
【００１４】
特に、不織布層３０は、有毒ガス粒子の１次捕集のための単一層または複数層(一重または多重)からなる第１不織布層３１、及び、前記第１不織布層３１よりも微細に製布された第２不織布層３２によって構成されるということを確認することができる。
【００１５】
前記呼吸器密着部１１は、凹形の曲面形状、又は平面形状に形成されうる。
【００１６】
一方、本体部１０の上面と下面には、空気の流通のための空気流通孔１０ａが形成される。
【００１７】
また、本体部１０には、呼吸器密着部１１の外部露出による異物吸着及び汚染発生の防止のためのカバー体６０が、接着テープまたは嵌め合わせ方式で着脱可能に備えられる。
【００１８】
次に、このような構成をなす本発明の防毒キットについての使用による作用効果について説明する。
【００１９】
本発明の防毒キットは、小型サイズなので、平常時に携帯が簡便でありながら、火災などによる有毒ガス発生の際には、カバー体６０を除去した後に、図５に示すようにユーザーの呼吸器部位に密着させることにより使用が行われる。
【００２０】
つまり、この際には、本体部１０に衝撃を加えたり押さえたりして、切開部材５０によるウォーターチューブ４０への穿孔が行われるようにすることにより、水が不織布層３０に染み込んで吸収されるようになる。
【００２１】
その後、図５に示すように、呼吸器の部位に、本体部１０の呼吸器密着部１１を密着させると、空気流通孔１０ａを通じて流入する有毒ガスが、第１不織布層３１、第２不織布層３２及び活性炭層２０を通過する過程で浄化処理されるようになる。
【００２２】
特に、第１、第２不織布層３１、３２には、水が吸収された状態を成すことで、湿式フィルター作用により、有毒物質浄化効率を向上させることができる。
【００２３】
したがって、本発明の防毒キットは、携帯が容易であるので、火災などの非常事態が発生した際に迅速な使用が可能となるのであり、ウォーターチューブによる湿式防毒作用が行われうるようになって、有毒ガスの呼吸器流入を効果的に遮断することにより、人命被害の発生を最小限に抑えることができる。
【００２４】
一方、図６〜図８は、本発明の第２実施形態に係る構造を示すものである。これらの図によれば、ウォーターチューブ４０には水収容部の開閉のためのステッカー４１が付着されて備えつけられており、前記ステッカー４１は、本体部１０の一方の側に、グリップ部（ハンドル部）が露出した状態を成すようにした。
【００２５】
このような構造を成すと、火災などの非常事態が発生した際に、ステッカー４１のグリップ部を引っ張って、ステッカー４１をウォーターチューブ４０から分離させたとき、ウォーターチューブ４０に収容された水が漏れ出て不織布層３０に吸収されうるようになる。
【００２６】
したがって、切開部材５０といった鋭い部品の使用がなくてもウォーターチューブ４０の開閉動作が行われ得るので、使用過程で切開部材５０による負傷の発生など、安全上の事故の発生を防止することができる。
【００２７】
また、図９及び図１０は、本発明の第３実施形態に係る構成を示すものである。本体部１０の中央には中央通孔１２が貫通して形成され、前記中央通孔１２には強化ガラスの破壊のために先端部に尖部７１が形成された衝撃具７０が挿入されて構成されており、前記衝撃具７０は一定の曲率の形状をなす板バネ８０によって支持され、前記衝撃具７０の後端部には打撃力の伝達のための可動部７２が一体に備えられる。
【００２８】
また、中央通孔１２の先端部には、衝撃具７０の尖部７１による負傷の発生を防止するための保護板９０が備えられるのであり、前記保護板９０を取り除くことができるように、保護板９０の一方の側には安全ピン９１が備えられ、本体部１０の一方の側にはガラス面への接着のための接着層９２が構成される。
【００２９】
このような構成を成すと、車両内または建物内に閉じ込められた場合、衝撃具７０を用いて強化ガラスを破壊し、脱出することができるようになる。
【００３０】
つまり、この際には、接着層９２を用いて強化ガラスに本体部１０を付着させた状態で、ユーザーが可動部７２を押して衝撃を加えると、可動部７２から加わる力に加えて板バネ８０の瞬間的な弾性力が衝撃具７０に伝達される。
【００３１】
これにより、衝撃具７０が強い弾性力を受けて前進することで、尖部７１が強化ガラスを打撃することにより、強化ガラスが割れて外部への脱出が迅速に行われ得るようになる。
【図１】
2021520287.tif 000003
【図２】
2021520287.tif 000004
【図３】
2021520287.tif 000005
【図４】
2021520287.tif 000006
【図５】
2021520287.tif 000007
【図６】
2021520287.tif 000008
【図７】
2021520287.tif 000009
【図８】
2021520287.tif 000010
【図９】
2021520287.tif 000011
【図１０】
2021520287.tif 000012
【国際調査報告】
2021520287.tif 000013
2021520287.tif 000014
2021520287.tif 000015
2021520287.tif 000016